(57)【要約】【課題】引出線の浮きを抑制するとともに引出線を引回す際にワイヤ同士が干渉することを防止するトランスの提供。【解決手段】トランスは、巻芯２１と巻芯２１の軸方向両端部に固定された端子台４０−１，４０−２とを有するボビン２０と、１次ワイヤと、１次ワイヤ上に巻回される２次ワイヤと、端子台４０−１，４０−２上であって複数の１次ワイヤと２次ワイヤの端部が絡げられる絡げ部を備えた複数の端子電極領域４２と、１次ワイヤを引掛るために巻芯と所定の端子電極領域との間に設けられた引掛部４５とを備える。フランジには１次ワイヤの引出部が通過する溝部２２Ａａ〜２２Ｅａが形成され、引掛部４５は巻芯の一領域に巻回された該１次ワイヤが一領域よりも所定の端子電極領域４２側にあるすべての溝部を通過するように端子台上に配置されていることを特徴としている。【選択図】図３（ａ）
2011044672.tif 000002
【特許請求の範囲】
【請求項１】
巻芯と該巻芯の軸方向両端部に固定された端子台とを有するボビンと、
該巻芯に巻回される巻回部を有し１次コイルを構成する複数の１次ワイヤと、
該１次ワイヤ上に巻回される巻回部を有し２次コイルを構成する複数の２次ワイヤと、
該端子台上であって該複数の１次ワイヤと２次ワイヤの端部が絡げられる絡げ部を備えた複数の端子電極領域と、
該複数の１次ワイヤの少なくとも一本及び該複数の２次ワイヤの少なくとも一本のうち少なくともいずれか一方を引掛るために該巻芯と所定の該端子電極領域との間に設けられた引掛部とを備え、
それぞれの該１次ワイヤと該２次ワイヤとは該巻回部から所定の該端子電極領域の該絡げ部に延びる引出部を有し、
該巻芯は該巻芯の軸方向に並ぶ複数の仕切壁を有し該複数の仕切壁によって複数領域に区切られており、該仕切壁には該１次ワイヤの引出部が通過する溝部が形成され、
該引掛部は該巻芯の一領域に巻回された該１次ワイヤが該一領域よりも所定の該端子電極領域側にあるすべての該溝部を通過するように該端子台上に配置されていることを特徴とするトランス。
【請求項２】
該引掛部は略Ｌ字形状であり、Ｌ字の一方の先端が該端子台に支持されていることを特徴とする請求項１に記載のトランス。
【請求項３】
該軸方向から見て、該引掛部に最も近い位置にある該仕切壁に形成された該溝部の開口部の領域と該引掛部の少なくとも一部とが重なっていることを特徴とする請求項１または２に記載のトランス。
【請求項４】
該巻芯上の複数の該仕切壁に設けられた該複数の溝部は軸方向に一直線上に位置していることを特徴とする請求項３に記載のトランス。
【請求項５】
該巻芯の半径方向外方には該巻芯の全周を覆うカバーが設けられていることを特徴とする請求項１から４のいずれか１項に記載のトランス。
【請求項６】
１次コイルを構成する複数の１次ワイヤを巻回するための巻芯と該巻芯の軸方向両端部に固定された端子台とを有するボビンと、該複数の１次ワイヤと該１次ワイヤ上に巻回される２次ワイヤの端部を絡げる絡げ部を備え該端子台上に設けられた複数の端子電極領域と、該複数の１次ワイヤの少なくとも一本及び該複数の２次ワイヤの少なくとも一本のうち少なくともいずれか一方を引掛るために該巻芯と所定の該端子電極領域との間に設けられた引掛部とを備え、該巻芯は該巻芯の軸方向に並ぶ複数の仕切壁を有し複数の仕切壁によって複数の領域に区切られており、該仕切壁には該１次ワイヤの引出部が通過する溝部が形成されており、それぞれの該端子電極領域には複数の端子電極が設けられ該複数の端子電極間には電極間溝が形成されたトランス基体を用意する第１工程と、
所定の端子電極領域にある一の端子電極の該絡げ部に該１次ワイヤを絡げる第２工程と、
該電極間溝に対して該絡げられた１次ワイヤを通過させ該引掛部に引掛ける第３工程と、
該引掛けられた１次ワイヤを巻回すべき該巻回領域に導出させる際に通過するすべての該仕切壁に形成された該溝部に該１次ワイヤを通過させてから該巻芯の巻回すべき該巻回領域に巻回させる第４工程と、
該１次ワイヤについて該第４工程で該１次ワイヤが通過したすべての該溝部を通過させた後該引掛部に引掛ける第５工程と、
該電極間溝を通過させて該所定の端子電極領域の他の該端子電極の該絡げ部に絡げる第６工程とを有することを特徴とするトランスの製造方法。
【発明の詳細な説明】
【技術分野】
【０００１】
本発明はトランスに関し、特に複数の１次コイルと複数の２次コイルとが同軸的に巻回されるトランスに関する。
【背景技術】
【０００２】
トランスなどのコイル部品では、ボビンにコイルを巻回させてボビンに備えられたピンなどに絡げる際のコイルの引出線の浮き上がりが問題となっていた。そこで、引出線の浮き上がりを防止するために例えば、特開２００５−３５３９５４号公報に示すようにボビンに突起を設けてその突起にコイルを引掛けることによりコイルの浮き上がりを防止する技術が知られている。
【先行技術文献】
【特許文献】
【０００３】
【特許文献１】特開２００５−３５３９５４号公報
【発明の概要】
【発明が解決しようとする課題】
【０００４】
しかし、上述の構成によると突起はピンよりも巻回されたコイルからの距離が遠い位置にあるため、コイルと突起との間のワイヤが浮き上がってしまう。さらに機械による自動巻化を図ったトランスの製造工程においては、ワイヤが引掛けられる突起とコイルとの距離が離れているため、ワイヤが繰出されるノズルの動作経路が長くなってワイヤ同士が干渉することにより作業性が悪くなっていた。
【０００５】
そこで本発明は、引出線の浮きを抑制するとともに引出線を引回す際にワイヤ同士が干渉することを防止するトランスを提供することを目的とする。
【課題を解決するための手段】
【０００６】
上記目的を達成するために、本発明は、巻芯と巻芯の軸方向両端部に固定された端子台とを有するボビンと、巻芯に巻回される巻回部を有し１次コイルを構成する複数の１次ワイヤと、１次ワイヤ上に巻回される巻回部を有し２次コイルを構成する複数の２次ワイヤと、端子台上であって複数の１次ワイヤと２次ワイヤの端部が絡げられる絡げ部を備えた複数の端子電極領域と、複数の１次ワイヤの少なくとも一本及び複数の２次ワイヤの少なくとも一本のうち少なくともいずれか一方を引掛るために巻芯と所定の端子電極領域との間に設けられた引掛部とを備え、それぞれの１次ワイヤと２次ワイヤとは巻回部から所定の端子電極領域の絡げ部に延びる引出部を有し、巻芯は巻芯の軸方向に並ぶ複数のフランジを有し複数のフランジによって複数の領域に区切られており、フランジには１次ワイヤの引出部が通過する溝部が形成され、引掛部は巻芯の一領域に巻回された該１次ワイヤが一領域よりも所定の端子電極領域側にあるすべての溝部を通過するように端子台上に配置されていることを特徴とするトランスを提供している。
【０００７】
１次ワイヤを引掛ける引掛部が巻芯と端子電極領域との間に設けられているため、巻芯と引掛部との距離が短くなり、引出線の浮きを防止することができる。さらに、引掛部は所定の端子電極領域側にあるすべての溝部を通過するように配置されているため、１次ワイヤの引出部は引掛部によって巻芯の半径方向の移動が規制され、１次ワイヤの引出部が溝部を外れることを防止することができる。これにより、一の１次ワイヤを巻芯に巻回させて端子電極領域内にある端子電極に絡げた後他の１次ワイヤを巻芯に巻回させてボビン周辺を引回す際も、一の１次ワイヤに干渉することなく他の１次ワイヤを引回すことが可能となり機械での自動作業時における作業性が向上する。さらに、１次ワイヤの上から２次ワイヤを巻回する際も１次ワイヤが引掛部によって動きを規制されているため、１次ワイヤに干渉することなく２次ワイヤを引回すことが可能となり機械での自動作業時における作業性が向上する。
【０００８】
ここで、引掛部は略Ｌ字形状であり、Ｌ字の一方の先端が端子台に支持されていることが好ましい。引掛部がL字形状であることにより、引掛け作業がより容易になる。さらに、L字の引掛部と端子台の面とによって画成された空間に１次コイルを引掛けることが好ましい。これにより、さらに多くの本数のコイルを引掛部に引掛けることができる。
【０００９】
また、軸方向から見て、引掛部に最も近い位置にあるフランジに形成された溝部の開口部の領域と引掛部の少なくとも一部とが重なっていることが好ましい。さらに、巻芯上の複数のフランジに設けられた複数の溝部は軸方向に一直線上に位置していることが好ましい。引掛部と複数の溝部が略一直線上に位置することとなり、機械で自動的にワイヤを引回す際にワイヤの動作経路を最小限にすることができるので１次ワイヤ同士の干渉を防止することができる。
【００１０】
また、巻芯の半径方向外方には巻芯の全周を覆うカバーが設けられていることが好ましい。巻芯の外方にカバーが設けられていることにより、巻芯に巻回されているコイルの絶縁を確実に行うことができる。さらに、引掛部によって１次ワイヤの浮きが抑制されていることから、１次ワイヤに接触することなくカバーを取付けることができる。また、カバーの上に２次コイルが巻回される構成であってもよい。その際には、巻芯に巻回された１次コイルとカバー上に巻回された２次コイルとはカバーによって確実に絶縁される。
【００１１】
また、本発明は、１次コイルを構成する複数の１次ワイヤを巻回するための巻芯と巻芯の軸方向両端部に固定された端子台とを有するボビンと、複数の１次ワイヤと１次ワイヤ上に巻回される２次ワイヤの端部を絡げる絡げ部を備え端子台上に設けられた複数の端子電極領域と、複数の１次ワイヤの少なくとも一本及び複数の２次ワイヤの少なくとも一本のうち少なくともいずれか一方を引掛るために巻芯と所定の端子電極領域との間に設けられた引掛部とを備え、巻芯は巻芯の軸方向に並ぶ複数のフランジを有し複数のフランジによって複数の領域に区切られており、フランジには１次ワイヤの引出部が通過する溝部が形成されており、それぞれの端子電極領域には複数の端子電極が設けられ複数の端子電極間には電極間溝が形成されたトランス基体を用意する第１工程と、所定の端子電極領域にある一の端子電極の絡げ部に該１次ワイヤを絡げる第２工程と、電極間溝に対して絡げられた１次ワイヤを通過させ引掛部に引掛ける第３工程と、引掛けられた１次ワイヤを巻回すべき巻回領域に導出させる際に通過するすべてのフランジに形成された溝部に１次ワイヤを通過させてから巻芯の巻回すべき巻回領域に巻回させる第４工程と、１次ワイヤについて第４工程で１次ワイヤが通過したすべての溝部を通過させた後引掛部に引掛ける第５工程と、電極間溝を通過させて所定の端子電極領域の他の該端子電極の絡げ部に絡げる第６工程とを有することを特徴とするトランスの製造方法を提供している。
【００１２】
１次ワイヤは機械で自動的に巻回される際に巻芯と端子電極領域との間に設けられた引掛部に引掛けられることにより、１次ワイヤ同士の干渉を防止することができる。さらに、一の巻回領域に１次ワイヤを巻回した後、他の巻回領域に１次ワイヤを巻回する際も１次ワイヤ同士が干渉することを防止し、機械での自動的な１次ワイヤの引回しの作業性を向上させることができる。
【発明の効果】
【００１３】
以上により本発明は、引出線の浮きを抑制するとともに引出線を引回す際にワイヤ同士が干渉することを防止するトランスを提供することができる。
【図面の簡単な説明】
【００１４】
【図１】本発明の第１の実施の形態によるトランスを示す上方斜視図。
【図２】本発明の第１の実施の形態によるトランスを示す下方斜視図。
【図３（ａ）】本発明の第１の実施の形態によるトランスの内方筒状部及び端子台を示す下方斜視図。
【図３（ｂ）】本発明の第１の実施の形態によるトランスの内方筒状部及び端子台を示す上方斜視図。
【図４】本発明の第１の実施の形態によるトランスの外方筒状部を示す分解斜視図。
【図５】本発明の第１の実施の形態によるトランスの外方筒状部を示す分解側面図。
【図６】本発明の第１の実施の形態によるトランスの外方筒状部の基板側外方筒状分割部を示す斜視図。
【図７】本発明の第１の実施の形態によるトランスの内方筒状部に導線を巻回した様子を示す底面図。
【図８】本発明の第１の実施の形態によるトランスの外方筒状部に導線を巻回した様子を示す底面図。
【図９】本発明の第１の実施の形態によるトランスの外方筒状部に絶縁テープを巻回した後に導線を巻回した様子を示す底面図。
【図１０】本発明の第１の実施の形態によるトランスを示す回路図。
【図１１】本発明の第１の実施の形態によるトランスの製造工程においてトランスの内方筒状部に導線を巻回した様子を示す下方斜視図。
【図１２】本発明の第１の実施の形態によるトランスの製造工程において導線を巻回したトランスの内方筒状部に外方筒状部を装着している様子を示す上方斜視図。
【図１３】本発明の第１の実施の形態によるトランスの製造工程においてトランスの外方筒状部に導線を巻回した様子を示す下方斜視図。
【図１４】本発明の第１の実施の形態によるトランスの製造工程においてトランスの外方筒状部に導線を巻回した様子を示す上方斜視図。
【図１５】本発明の第１の実施の形態によるトランスの製造工程においてトランスの外方筒状部に絶縁テープを巻回した後に導線を巻回した様子を示す下方斜視図。
【図１６】本発明の第１の実施の形態によるトランスの製造工程において細線により金属端子の先端部と導線の一端部とを束ねるようにして巻き上げた様子を示す下方斜視図。
【図１７】本発明の第１の実施の形態によるトランスの製造工程において金属端子をハンダ槽に沈めてハンダ付を行った様子を示す下方斜視図。
【図１８】本発明の第１の実施の形態によるトランスの製造工程においてボビンにコアを装着した様子を示す上方斜視図。
【図１９】本発明の第１の実施の形態によるトランスの製造工程においてボビンに外方筒状部を装着した様子を示す上方斜視図。
【図２０】本発明の第１の実施の形態によるトランスの製造工程においてボビンに外方筒状部を装着した様子を示す下方斜視図。
【図２１】本発明の第２の実施の形態によるトランスの筒状部及び端子台を示す下方斜視図。
【図２２】本発明の第２の実施の形態によるトランスの筒状部に１次ワイヤを巻回した様子を示す底面図。
【図２３】本発明の第２の実施の形態によるトランスを示す回路図。
【図２４】本発明の第２の実施の形態によるトランスの筒状部に２次ワイヤを巻回した様子を示す底面図。
【図２５】本発明の第１の実施の形態によるトランスの変形例の内方筒状部、端子台、及び外方筒状部を示す上方斜視図。
【発明を実施するための形態】
【００１５】
本発明の第１実施の形態によるトランスについて図１乃至図１０に基づき説明する。図１に示されるようにトランス１は、ハイブリッド車のインバータ用ＩＧＢＴモジュールに用いられるトランスであり、コア１０と、ボビン２０と、導線５０（図７等）と、ケース９１、９２とを備えている。
【００１６】
コア１０は一対設けられており、それぞれ、底壁部１０Ａと、当該底壁部１０Ａの一端と他端とからそれぞれ底壁部１０Ａから離間する方向へ延出する一対の側壁部１０Ｂと、底壁部１０Ａから離間する方向へ当該底壁部１０Ａの中央部から延出する図示せぬ中央壁部とを有し、全体として略Ｅ字形状をなしている。一方のコア１０の一対の側壁部１０Ｂ及び図示せぬ中央壁部の延出端は、それぞれ他方のコア１０の側壁部１０Ｂ及び図示せぬ中央壁部の延出端と面で当接した状態となっており、当該当接し合う面に関して面対称な位置関係で対向配置されている。
【００１７】
ボビン２０は、図３（ａ）又は図３（ｂ）に示されるような、絶縁樹脂により構成され略筒形状をなしその軸方向両端に端子台４０が設けられた内方筒状部２１と、図４〜図６に示されるような、絶縁樹脂により構成され内方筒状部２１を外装する外方筒状部３１とを備えている。内方筒状部２１は巻芯に相当し、外方筒状部３１はカバーに相当する。
【００１８】
内方筒状部２１は、当該内方筒状部２１の軸方向に垂直な面で切った断面形状が、一対の平行な直線状をなす部分と、当該一対の平行な直線状をなす部分の一端同士、他端同士をそれぞれ接続する一対の略円弧状の部分とを有する長円形状の筒状をなしており、内方筒状部２１の内周面により画成される空間２１ａにはコア１０の図示せぬ中央壁部が挿入される。当該一対の平行をなす部分の一方は、図示せぬ実装基板の表面に平行をなしており、後述の外方筒状部３１の外方実装基板対向面３１Ａを介して実装基板に対向する内方実装基板対向面２１Ａ（図３（ａ））をなし、当該一対の平行をなす部分の他方は反内方実装基板対向面２１Ｂ（図３（ｂ））をなす。
【００１９】
内方筒状部２１の周面には内方仕切壁２２Ａ〜２２Ｆが設けられている。内方仕切壁２２Ａ〜２２Ｆは、図３（ａ）に示されるように、内方筒状部２１の周面の周方向に沿って全周に渡り板状をなして６枚立設されており、内方仕切壁２２Ａ〜２２Ｆにより内方筒状部２１の周面は、内方筒状部２１の軸方向において５つのセクションに仕切られている。図３において、各セクションを図の左側から右側へ向かって第１セクション２１ｂ、第２セクション２１ｃ、・・・、第５セクション２１ｆとする。各セクションには後述の導線５０が１本ずつ巻回されている。内方筒状部２１における各セクションは、巻回領域に相当する。
【００２０】
内方実装基板対向面２１Ａ上に位置している６枚の仕切壁のうちの、内方筒状部２１の軸方向における一端側から数えて５枚目までの内方仕切壁２２Ａ〜２２Ｅの部分には、内方溝部２２Ａａ〜２２Ｅａが内方筒状部２１の半径方向内方へ向けて内方筒状部２１の軸方向に一直線上に形成されている。内方溝部２２Ａａ〜２２Ｅａは、内方筒状部２１の周方向における内方仕切壁２２Ａ〜２２Ｅの中央位置から周方向へ所定の位置に至るまで形成されている。
【００２１】
内方筒状部２１の軸方向における一端及び他端には、端子台４０が一体でそれぞれ設けられている。端子台４０は、内方筒状部２１と同一の絶縁樹脂により構成され内方筒状部２１の一端及び他端に設けられた内方仕切壁２２Ａ、２２Ｆに一体接続されたフランジ状部４１、４１を有している。フランジ状部４１の内方実装基板対向面２１Ａ側は内方実装基板対向面２１Ａに平行な平坦面たる基板側面４１Ａをなしている。フランジ状部４１の基板側面４１Ａは、内方実装基板対向面２１Ａ上の内方仕切壁２２Ａ〜２２Ｆの突出端よりも内方筒状部２１の半径方向外方へ突出していない。
【００２２】
また端子台４０は、端子支持部４２を有する。端子支持部４２はフランジ状部４１の当該突出していない部分に主として接続されており、それぞれ内方筒状部２１と同一の絶縁樹脂により構成されている。端子支持部４２は、それぞれ内方筒状部２１の軸方向に垂直の方向であって内方実装基板対向面２１Ａに平行に延出しており、その中央部分がフランジ状部４１に一体接続されている。ここで端子支持部４２において、内方実装基板対向面２１Ａと反内方実装基板対向面２１Ｂとを結ぶ方向においてより反内方実装基板対向面２１Ｂに近い側を反実装面側とし、内方実装基板対向面２１Ａに近い側を実装面側とする。
【００２３】
端子支持部４２の反実装面側の部分にはコア支持部２３が設けられている。図３（ｂ）に示されるようにコア支持部２３は、内方実装基板対向面２１Ａから反内方実装基板対向面２１Ｂへと向かう方向へ当該反実装面側の端子支持部４２の表面から延出する第１延出部２３Ａと、当該第１延出部２３Ａの延出端から内方実装基板対向面２１Ａ及び反内方実装基板対向面２１Ｂに平行に延出してその延出した中央部分が内方筒状部２１の一端、他端であって反内方実装基板対向面２１Ｂの部分に接続された反実装面平行部２３Ｂと、反実装面平行部２３Ｂの延出端から更に端子支持部４２の反実装面側の表面へと延出して当該表面において接続された第２延出部２３Ｃとを有し、全体として略コの字形状をなしている。
【００２４】
コア支持部２３の第１延出部２３Ａと反実装面平行部２３Ｂとフランジ状部４１と端子支持部４２とで画成された空間２３ａには、コア１０の一方の側壁部１０Ｂが挿入される。コア支持部２３の第２延出部２３Ｃと反実装面平行部２３Ｂとフランジ状部４１と端子支持部４２とで画成された空間２３ｂには、コア１０の他方の側壁部１０Ｂが挿入されるように構成されている。
【００２５】
端子支持部４２の実装面側には金属端子たる端子電極２４が設けられている。端子電極２４は計２０個設けられており、内方筒状部２１の軸方向における一端側に設けられた端子台４０−１の端子支持部４２において端子支持部４２の延出方向に１２個固定され、そのうち６個ずつが当該端子支持部４２の延出方向に所定の等間隔で固定されている。一方の６個の端子電極端子電極２４群と、他方の６個の端子電極２４群（端子電極領域）との間は、当該所定の等間隔よりも広い間隔で配置されている。
【００２６】
また、端子電極２４は、内方筒状部２１の軸方向における他端側に設けられた端子台４０−２の端子支持部４２において端子支持部４２の延出方向に２本ずつ所定の間隔を隔てて計８個固定されており、これら２個ずつ並べられた端子電極２４間は広い間隔を隔ててそれぞれ配置され固定されている。これらの端子電極２４は、後述のように略Ｌ字状をなした板状の金属片がフォーミングされることにより略コの字とされており、略コの字をなす端子電極２４を互いに平行をなす第１脚部２４−Ａ（図３（ｂ））と第２脚部２４−Ｂとこれらの一端を互いに連結する図示せぬ連結部とからなると考えた場合の連結部の全体と、当該連結部に接続されている第１脚部２４−Ａ、第２脚部２４−Ｂの一端部とが、図３（ｂ）に示されるように端子支持部４２を構成する絶縁樹脂中に保持されることにより、端子電極２４は端子支持部４２により支持固定されている。第１脚部２４−Ａは反実装面側に配置され第１脚部２４−Ａには後述の導線５０の一端部又は他端部が電気的に接続され、第２脚部２４−Ｂは実装面に平行な位置関係をなし、実装面上の導電パターンに電気的に接続される。端子支持部４２の実装面側であってこれらの端子電極２４間の位置には、実装面側から反実装面側へと向かう方向に所定量の深さを有する電極間溝４２ａ〜４２ｒが形成されている。
【００２７】
内方筒状部２１の軸方向における他端側の端子台４０−２に設けられた端子支持部４２の８個の端子電極２４について、図７に示されるように、図の右側から左側へ向かって第１端子２４Ａ、第２端子２４Ｂ、・・・第８端子２４Ｈとする。また、内方筒状部２１の軸方向における一端側の端子台４０−１に設けられた端子支持部４２の１２個の端子電極２４について、図７に示されるように、図の左側から右側へ向かって第９端子２４Ｉ、第１０端子２４Ｊ、・・・第２０端子２４Ｔとする。第１端子２４Ａ、第２端子２４Ｂ、・・・、第２０端子２４Ｔを支持する端子支持部４２は、それぞれ実装面側へ突出する端子支持基部４２Ａ、４２Ｂ、・・・、４２Ｔを有する。
【００２８】
また、図３（ａ）に示される端子台４０−２に形成された電極間溝について、図の右側から左側へ向かって第１電極間溝４２ａ、第２電極間溝４２ｂ、・・・、第７電極間溝４２ｇとする。また、端子台４０−１に形成された電極間溝について、図の左側から右側へ向かって第８電極間溝４２ｈ、第９電極間溝４２ｉ、・・・、第１８電極間溝４２ｓとする。
【００２９】
また、フランジ状部４１の基板側面４１Ａ、端子電極２４が固定されている端子支持部４２の端子支持基部４２Ａ〜４２Ｔには、フランジ状部４１、端子支持部４２と同一の絶縁樹脂により構成されそれぞれ図示せぬ実装面の方向へ延出する導線掛け柱部４４Ａ〜４４Ｓが一体で設けられている。導線掛け柱部４４Ａ〜４４Ｓは、図３（ａ）に示されるように、内方筒状部２１の軸方向における一端側に設けられた端子台４０−１の端子支持部４２においては、フランジ状部４１の基板側面４１Ａに２本設けられ、端子電極２４が固定されている端子支持部４２の部分近傍の実装面側の部分に１０本設けられている。また、図３（ａ）に示されるように、内方筒状部２１の軸方向における他端側の端子台４０−２に設けられた端子支持部４２においては、フランジ状部４１の基板側面４１Ａに３本設けられ、端子電極２４が固定されている端子支持部４２の部分近傍の実装面側の部分に４本設けられている。
【００３０】
内方筒状部２１の軸方向における他端側の端子台４０−２の端子支持部４２に設けられた導線掛け柱部ついて、図３（ａ）に示されるように、図３の右側から左側へ向かって第１導線掛け柱部４４Ａ、第２導線掛け柱部４４Ｂ、・・・、第４導線掛け柱部４４Ｄ（４本）、及び、第５導線掛け柱部４４Ｅ、第６導線掛け柱部４４Ｆ、第７導線掛け柱部４４Ｇ（３本）とする。また、内方筒状部２１の軸方向における一端側の端子台４０−１の端子支持部４２に設けられた導線掛け柱部ついて、図３に示されるように、図の左側から右側へ向かって第８導線掛け柱部４４Ｈ、第９導線掛け柱部４４Ｉ、・・・、第１７導線掛け柱部４４Ｑ（１０本）、及び、第１８導線掛け柱部４４Ｒ、第１９導線掛け柱部４４Ｓ（２本）とする。
【００３１】
第１導線掛け柱部４４Ａは第２端子２４Ｂの近傍に配置されており、第２導線掛け柱部４４Ｂは第４端子２４Ｄの近傍に配置されている。第３導線掛け柱部４４Ｃは第５端子２４Ｅの近傍に配置されており、第４導線掛け柱部４４Ｄは第７端子２４Ｇの近傍に配置されている。第５導線掛け柱部４４Ｅは、端子支持部４２の長手方向におけるフランジ状部４１の図３（ａ）の右側の端部に配置されている。第６導線掛け柱部４４Ｆは、内方筒状部２１の周方向における内方実装基板対向面２１Ａの中央位置に配置されている。第７導線掛け柱部４４Ｇは、端子支持部４２の長手方向におけるフランジ状部４１の図３（ａ）の左側の端部に配置されている。
【００３２】
第８導線掛け柱部４４Ｈは第１０端子２４Ｊの近傍に配置されており、第９導線掛け柱部４４Ｉは第１１端子２４Ｋの近傍に配置されている。第１０導線掛け柱部４４Ｊは第１２端子２４Ｌの近傍に配置されており、第１１導線掛け柱部４４Ｋは第１３端子２４Ｍの近傍に配置されている。第１２導線掛け柱部４４Ｌは第１４端子２４Ｎの近傍に配置されており、第１３導線掛け柱部４４Ｍは第１５端子２４Ｏの近傍に配置されている。第１４導線掛け柱部４４Ｎは第１６端子２４Ｐの近傍に配置されており、第１５導線掛け柱部４４Ｏは第１７端子２４Ｑの近傍に配置されている。第１６導線掛け柱部４４Ｐは第１８端子２４Ｒの近傍に配置されており、第１７導線掛け柱部４４Ｑは第１９端子２４Ｓの近傍に配置されている。
【００３３】
第１８導線掛け柱部４４Ｒは、端子台４０−１の端子支持部４２の長手方向におけるフランジ状部４１の図３（ａ）の左側の端部に配置されている。第１９導線掛け柱部４４Ｓは、端子支持部４２の長手方向におけるフランジ状部４１の図３（ａ）の右側の端部に配置されている。
【００３４】
図３（ａ）に示されるように、互いに対向する第５導線掛け柱部４４Ｅと第７導線掛け柱部４４Ｇとの対向面、第１８導線掛け柱部４４Ｒと第１９導線掛け柱部４４Ｓとの対向面には、後述のケース９１のフック９１Ａが係合可能なフック受け部４４Ｅ−Ａ、４４Ｇ−Ａ、４４Ｒ−Ａ、４４Ｓ−Ａが設けられている。
【００３５】
図３（ａ）に示されるように、端子台４０−１上であって電極間溝４４ｎの延長面上に引掛部４５の一端が支持されている。引掛部４５は当該延長面から内方筒状部２１の半径方向外方に突出し、その先端部分が屈曲したＬ字形状をなしている。引掛部４５は直線状に配置された内方溝部２２Ａａ〜２２Ｅａの略延長線上に設けられている。引掛部４５は内方筒状部２１の軸方向から見て内方溝部２２Ａａの開口部と引掛部４５の一部が重なるように配置される。引掛部４５の当該延長面から屈曲した部位までの距離は、内方筒状部２１から立設している内方仕切壁２２Ａ〜２２Ｆの高さよりも低くなるように設定されている。
【００３６】
図４に示されるように外方筒状部３１は後述のように半割り形状をなしており、外方筒状部３１は内方筒状部２１よりも径が大きく内方筒状部２１に対して略相似形状をなす筒形状をなしている。従って、外方筒状部３１は、当該外方筒状部３１の軸方向に垂直な面で切った断面形状が、一対の平行な直線状をなす部分と、一対の平行な直線状をなす部分の一端同士、他端同士を接続する略円弧状の部分とを有する長円形状の筒状をなしており、外方筒状部３１の内周面により画成される空間には内方筒状部２１が配置される。当該一対の平行をなす部分の一方は、図示せぬ実装基板の表面に平行をなしており、実装基板に対向する外方実装基板対向面３１Ａをなし、当該一対の平行をなす部分の他方は反外方実装基板対向面３１Ｂをなす。
【００３７】
外方筒状部３１の周面には外方仕切壁３２Ａ〜３２Ｆが設けられている。外方仕切壁３２Ａ〜３２Ｆは、図４、図５に示されるように、外方筒状部３１の周面の周方向に沿って全周に渡り板状をなして６枚立設されており、外方筒状部３１の半径方向における外方仕切壁３２Ａ〜３２Ｆの突出高さは外方筒状部３１の周方向において一定ではなく、外方実装基板対向面３１Ａ上に位置している外方仕切壁３２Ａ〜３２Ｆの突出高さは、反外方実装基板対向面３１Ｂ上に位置している外方仕切壁３２Ａ〜３２Ｆの突出高さよりも大きい。
【００３８】
外方仕切壁３２Ａ〜３２Ｆにより外方筒状部３１の周面は、図５に示されるように、外方筒状部３１の軸方向において７つのセクションに仕切られている。各セクションには後述の導線が１本ずつ巻回されている。また、外方筒状部３１の軸方向の両端にはフランジ状に突出する外方フランジ部３５、３６がそれぞれ設けられており、外方フランジ部３５、３６が設けられている外方筒状部３１の軸方向の両端部は、外方実装基板対向面３１Ａ上に位置している６枚の仕切壁のうちの、外方筒状部３１の軸方向における一端側から数えて１枚目、６枚目の仕切壁と協働して、仕切壁間のセクションと同様のセクションを形成するフランジ部基部３５Ａ、３６Ａをなす。図６において各セクションを、図の左側から右側へ向かって第１セクション３１ｂ、第２セクション３１ｃ、・・・、第７セクション３１ｈとする。
【００３９】
外方フランジ部３５の外方実装基板対向面３１Ａ側には、図６に示されるように、４つの一端側フランジ第１切欠３５Ａａ、一端側フランジ第２切欠３５Ａｂ、一端側フランジ第３切欠３５Ａｃ、一端側フランジ第４切欠３５Ａｄがそれぞれ間隔を隔てて形成されている。一端側フランジ第１切欠３５Ａａは、外方筒状部３１の半径方向内方へ向かう深さが、当該一端側フランジ第１切欠３５Ａａの底面と外方仕切壁３２Ａ〜３２Ｆの突出端と一致する程度である。
【００４０】
一端側フランジ第２切欠３５Ａｂは、外方筒状部３１に形成された切欠の中で外方筒状部３１の半径方向内方へ向かう深さが最も深く、各セクションを画成する外方筒状部３１の周面に最も近い位置に至る。一端側フランジ第２切欠３５Ａｂは外方フランジ部３５のみならず、外方フランジ部３５が接続されているフランジ部基部３５Ａの部分にまで形成されており、第１セクション３１ｂ（図５）に連通する。一端側フランジ第３切欠３５Ａｃ、一端側フランジ第４切欠３５Ａｄは、それぞれ外方筒状部３１の半径方向内方へ向かう深さが第２切欠３５Ａｂと同程度に深く形成されており、各セクションの底面を規定する外方筒状部３１の周面に最も近い位置に至る。一端側フランジ第２切欠３５Ａｂは外方フランジ部３５のみならず、外方フランジ部３５が接続されているフランジ部基部３５Ａの部分にまで形成され、第１セクション３１ｂ（図５）に連通するのであるが、フランジ部基部３５Ａの部分において一端側フランジ第３切欠３５Ａｃは浅くなり、外方筒状部３１に形成された切欠の中で２番目に深い底部を有する。また、同様に一端側フランジ第３切欠３５Ａｃは、フランジ部基部３５の部分において浅くなり外方筒状部３１に形成された切欠の中で３番目に深い底部を有する。
【００４１】
外方実装基板対向面３１Ａ側の外方筒状部３１の軸方向における一端側から数えて１枚目の外方仕切壁３２Ａの部分には、第１外側溝部３２Ａａ、第２外側溝部３２Ａｂが外方筒状部３１の半径方向内方へ向けて形成されている。第１外側溝部３２Ａａは、外方筒状部３１の軸方向において、一端側フランジ第２切欠３５Ａｂ及び一端側フランジ第３切欠３５Ａｃに対向する位置に渡って形成されており、外方筒状部３１に形成された切欠の中で２番目に深い底部を有する。第２外側溝部３２Ａｂは、外方筒状部３１の軸方向において、一端側フランジ第４切欠３５Ａｄに対向する位置に形成されており、外方筒状部３１に形成された切欠の中で３番目に深い底部を有する。
【００４２】
外方実装基板対向面３１Ａ側の外方筒状部３１の軸方向における一端側から数えて２枚目の外方仕切壁３２Ｂの部分には、第３外側溝部３２Ｂａが外方筒状部３１の半径方向内方へ向けて形成されている。第３外側溝部３２Ｂａは、外方筒状部３１の軸方向において、一端側フランジ第３切欠３５Ａｃ及び一端側フランジ第４切欠３５Ａｄに対向する位置に渡って形成されており、外方筒状部３１に形成された切欠の中で３番目に深い底部を有する。
【００４３】
外方実装基板対向面３１Ａ側の外方筒状部３１の軸方向における一端側から数えて３枚目の外方仕切壁３２Ｃの部分には、第４外側溝部３２Ｃａ、第５外側溝部３２Ｃｂが外方筒状部３１の半径方向内方へ向けて形成されている。第４外側溝部３２Ｃａは、外方筒状部３１の軸方向において、一端側フランジ第１切欠３５Ａａの図６の右端部に対向する位置から図６の右方向へ外方実装基板対向面３１Ａ（図４）に平行に延出して形成されており、外方筒状部３１に形成された切欠の中で３番目に深い底部を有する。第５外側溝部３２Ｃｂは、外方筒状部３１の軸方向において、一端側フランジ第４切欠３５Ａｄの図６の左端部に対向する位置から図６の左方向へ外方実装基板対向面３１Ａに平行に延出して形成されており、外方筒状部３１に形成された切欠の中で３番目に深い底部を有する。
【００４４】
外方実装基板対向面３１Ａ側の外方筒状部３１の軸方向における一端側から数えて４枚目の外方仕切壁３２Ｄの部分には、第６外側溝部３２Ｄａ、第７外側溝部３２Ｄｂが外方筒状部３１の半径方向内方へ向けて形成されている。第６外側溝部３２Ｄａは、外方筒状部３１の軸方向において、一端側フランジ第１切欠３５Ａａの図６の右端部に対向する位置に形成されており、外方筒状部３１に形成された切欠の中で３番目に深い底部を有する。第７外側溝部３２Ｄｂは、外方筒状部３１の軸方向において、一端側フランジ第１切欠３５Ａａの図６の左端部に対向する位置から所定の長さで図６の左方向へ延出して形成されており、外方筒状部３１に形成された切欠の中で３番目に深い底部を有する。
【００４５】
外方実装基板対向面３１Ａ側の外方筒状部３１の軸方向における一端側から数えて５枚目の外方仕切壁３２Ｅの部分には、第８外側３２Ｅａ、第９外側溝部３２Ｅｂ、第１０外側溝部３２Ｅｃが外方筒状部３１の半径方向内方へ向けて形成されている。第８外側溝部３２Ｅａは、外方筒状部３１の軸方向において、第６外側溝部３２Ｄａに対向する位置に形成されており、外方筒状部３１に形成された切欠の中で３番目に深い底部を有する。第９外側溝部３２Ｅｂは、外方筒状部３１の軸方向において、第７外側溝部３２Ｄｂの図６の左端部に対向する位置に形成されており、外方筒状部３１に形成された切欠の中で３番目に深い底部を有する。第１０外側溝部３２Ｅｃは、外方筒状部３１の軸方向において、一端側フランジ第２切欠３５Ａｂの図６の左端部から一端側フランジ第４切欠３５Ａｄに対向する位置に渡って形成されており、外方筒状部３１に形成された切欠の中で３番目に深い底部を有する。
【００４６】
外方実装基板対向面３１Ａ側の外方筒状部３１の軸方向における一端側から数えて６枚目の外方仕切壁３２Ｆの部分には、第１１外側溝部３２Ｆａ、第１２外側溝部３２Ｆｂ、第１３外側溝部３２Ｆｃが外方筒状部３１の半径方向内方へ向けて形成されている。第１１外側溝部３２Ｆａは、外方筒状部３１の軸方向において、第６外側溝部３２Ｄａに対向する位置に形成されており、外方筒状部３１に形成された切欠の中で３番目に深い底部を有する。第１２外側溝部３２Ｆｂは、外方筒状部３１の軸方向において、第９外側溝部３２Ｅｂに対向する位置から一端側フランジ第３切欠３５Ａｃの図６の左端部に対向する位置に渡って形成されており、外方筒状部３１に形成された切欠の中で３番目に深い底部を有する。第１３外側溝部３２Ｆｃは、外方筒状部３１の軸方向において、一端側フランジ第４切欠３５Ａｄに対向する位置に形成されており、外方筒状部３１に形成された切欠の中で３番目に深い底部を有する。
【００４７】
外方実装基板対向面３１Ａ上側の外方筒状部３１の軸方向における他端に設けられている外方フランジ部３６には、４つの他端側フランジ第１切欠３６Ａａ、他端側フランジ第２切欠３６Ａｂ、他端側フランジ第３切欠３６Ａｃ、他端側フランジ第４切欠３６Ａｄがそれぞれ間隔を隔てて形成されている。他端側フランジ第１切欠３６Ａａは、外方筒状部３１の軸方向において、第６外側溝部３２Ｄａに対向する位置に形成されており、第２切欠３５Ａｂと同程度に深い底部を有する。他端側フランジ第１切欠３６Ａａは外方フランジ部３６のみならず、外方フランジ部３６が接続されているフランジ部基部３６Ａの部分にまで形成され、第７セクション３１ｈ（図５）に連通するのであるが、フランジ部基部３６Ａの部分において他端側フランジ第１切欠３６Ａａは浅くなり外方筒状部３１に形成された切欠の中で３番目に深い底部を有する。
【００４８】
他端側フランジ第２切欠３６Ａｂは、外方筒状部３１の軸方向において、第９外側溝部３２Ｅｂに対向する位置に形成されており、第２切欠３５Ａｂと同程度に深い底部を有する。他端側フランジ第２切欠３６Ａｂは外方フランジ部３６のみならず、外方フランジ部３６が接続されているフランジ部基部３６Ａの部分にまで形成され、第７セクション３１ｈ（図５）に連通するのであるが、フランジ部基部３６Ａの部分において他端側フランジ第１切欠３６Ａａは浅くなり外方筒状部３１に形成された切欠の中で３番目に深い底部を有する。
【００４９】
他端側フランジ第３切欠３６Ａｃは、外方筒状部３１の軸方向において、第１０外側溝部３２Ｅｃの図６に示される右端部及び第１２外側溝部３２Ｆｂの図６に示される左端部に対向する位置に形成されており、第２切欠３５Ａｂと同程度に深い底部を有する。他端側フランジ第３切欠３６Ａｃは外方フランジ部３６のみならず、外方フランジ部３６が接続されているフランジ部基部３６Ａの部分にまで形成され、第７セクション３１ｈに連通する。
【００５０】
他端側フランジ第４切欠３６Ａｄは、外方筒状部３１の軸方向において、第１３外側溝部３２Ｆｃに対向する位置に形成されており、第３切欠３６Ａｃと同程度に深い底部を有する。他端側フランジ第４切欠３６Ａｄは外方フランジ部３６のみならず、外方フランジ部３６が接続されているフランジ部基部３６Ａの部分にまで形成され、第７セクション３１ｈ（図５）に連通するのであるが、フランジ部基部３６Ａの部分において他端側フランジ第１切欠３６Ａａは浅くなり外方筒状部３１に形成された切欠の中で３番目に深い底部を有する。
【００５１】
上記外方筒状部３１は、内方筒状部２１の内方実装基板対向面２１Ａ及び反内方実装基板対向面２１Ｂに平行をなし隣接するセクション３１ｂ〜３１ｈを略互いに結ぶ方向に延出する分割面３１−１Ａ、３１−２Ａで切ったような半割り形状をなしており、半割りされた外方筒状部３１のそれぞれは、基板側外方筒状分割部３１−１、反基板側外方筒状分割部３１−２をなす。分割面３１−１Ａ、３１−２Ａはより詳細には、図４〜図６に示されるように、矩形波形状、より具体的にはジグザグ状をなしており、各仕切壁の位置で階段状になるように構成されている。従って、外方筒状分割部同士が分割面３１−１Ａ、３１−２Ａにおいて噛合った状態となっている。このため、各セクション３１ｂ〜３１ｈ間の沿面距離を仕切壁の厚さよりも長く確保することができ、外方仕切壁３２Ａ〜３２Ｆを厚くせずに所望の沿面距離を確保することができる。
【００５２】
後述の導線５０が巻回された外方筒状部３１には、絶縁テープ９３（図１５）が外方筒状部３１の周方向に巻回されている。更に、後述のように絶縁テープ９３の上に第四の１次コイルＮｐ４が巻回され、更にその上に絶縁テープ９４（図１６）が巻回されている。
【００５３】
ケースは実装面側ケース９１と反実装面側ケース９２とからなり（図１）、それぞれ略長方形状をなしている。実装面側ケース９１、反実装面側ケース９２の４つの角部近傍位置には、それぞれフック９１Ａ、９２Ａがこれらの表面の法線方向へ延出して設けられており、フック９１Ａは前述の第５導線掛け柱部４４Ｅ、第７導線掛け柱部４４Ｇ、第１８導線掛け柱部４４Ｒ、第１９導線掛け柱部４４Ｓのフック受け部４４Ｅ−Ａ、４４Ｇ−Ａ、４４Ｒ−Ａ、４４Ｓ−Ａ（図３（ａ））に係合可能である。フック９２Ａは反実装面平行部２３Ｂ（図３（ｂ））に係合可能である。反実装面側ケース９２には、図示せぬ自動機の吸着ノズルが吸着可能である。
【００５４】
導線５０はそれぞれ絶縁被覆された銅線からなり、図１０に示されるように第一の１次コイルＮｐ１と、第二の１次コイルＮｐ２と、第三の１次コイルＮｐ３と、第四の１次コイルＮｐ４と、ドライブ巻線Ｎｓ１、Ｎｓ１´と、第二の２次コイルＮｓ２と、第三の２次コイルＮｓ３と、第四の２次コイルＮｓ４と、第五の２次コイルＮｓ５と、第六の２次コイルＮｓ６と、第七の２次コイルＮｓ７と、第八の２次コイルＮｓ８とを有している。第一の１次コイルＮｐ１、第二の１次コイルＮｐ２、第三の１次コイルＮｐ３、第四の２次コイルＮｓ４は導線の直径がそれぞれ０．２ｍｍであり、その他は直径がそれぞれ０．１２ｍｍである。導線５０は以下に示す順番で機械により自動的にその一端が一の端子電極２４に絡げられ、対応するセクションに巻回されて、他端が他の端子電極２４に絡げられる。
【００５５】
図７、図１０に示されるように、第一の１次コイルＮｐ１の一端が第１５端子２４Ｏに電気的に接続され、第１５端子２４Ｏを支持する端子支持基部４２Ｏの側面に掛けられ、第１３電極間溝４２ｍを通って引掛部４５に引掛けられ、内方溝部２２Ａａ、内方溝部２２Ｂａ、及び内方溝部２２Ｃａを順次通って内方筒状部２１の第３セクション２１ｄ（図３（ａ））に巻回される。さらに第３セクション２１ｄに巻回された第一の１次コイルＮｐ１は、同様に内方溝部２２Ｃａ、内方溝部２２Ｂａ、及び内方溝部２２Ａａを順次通って引掛部４５に引掛けられ、第１４導線掛け柱部４４Ｎに掛けられ、第１５電極間溝４２ｏを通って第１７端子２４Ｑを支持する端子支持基部４２Ｑの側面に掛けられ、その他端が第１７端子２４Ｑに電気的に接続される。
【００５６】
第二の１次コイルＮｐ２は一端が第１５端子２４Ｏに電気的に接続され、第１５端子２４Ｏを支持する端子支持基部４２Ｏの側面に掛けられ、第１３電極間溝４２ｍを通って引掛部４５に引掛けられ、内方溝部２２Ａａを通って内方筒状部２１の第１セクション２１ｂ（図３（ａ））に巻回される。さらに、第１セクション２１ｂに巻回された第二の１次コイルＮｐ２は、同様に内方溝部２２Ａａを通って引掛部４５に引掛けられ、第１３導線掛け柱部４４Ｍに掛けられ、第１４電極間溝４２ｎを通って第１６端子２４Ｐを支持する端子支持基部４２Ｐの側面に掛けられ、その他端が第１６端子２４Ｐに電気的に接続される。
【００５７】
第三の１次コイルＮｐ３はその一端が第１５端子２４Ｏに電気的に接続され、第１５端子２４Ｏを支持する端子支持基部４２Ｏの側面に掛けられ、第１３電極間溝４２ｍを通って引掛部４５に引掛けられ、内方溝部２２Ａａ、内方溝部２２Ｂａ、内方溝部２２Ｃａ、内方溝部２２Ｄａ、及び内方溝部２２Ｅａを順次通って、内方筒状部２１の第５セクション２１ｆ（図３（ａ））に巻回される。さらに、第５セクション２１ｆに巻回された第三の１次コイルＮｐ３は、同様に内方溝部２２Ｅａ、内方溝部２２Ｄａ、内方溝部２２Ｃａ、内方溝部２２Ｂａ、及び内方溝部２２Ａａを順次通って引掛部４５に引掛けられ、第１３導線掛け柱部４４Ｍに掛けられ、第１４電極間溝４２ｎを通って第１６端子２４Ｐを支持する端子支持基部４２Ｐの側面に掛けられ、その他端が第１６端子２４Ｐに電気的に接続される。
【００５８】
ドライブ巻線Ｎｓ１はその一端が第１８端子２４Ｒに電気的に接続され、第１８端子２４Ｒを支持する端子支持基部４２Ｒの側面に掛けられ、第１６電極間溝４２ｐを通って第１５導線掛け柱部４４Ｏに掛けられ、引掛部４５に引掛けられ、内方溝部２２Ａａ及び内方溝部２２Ｂａを順次通って、内方筒状部２１の第２セクション２１ｃ（図３（ａ））に巻回される。さらに、第２セクション２１ｃに巻回されたドライブ巻線Ｎｓ１は、同様に内方溝部２２Ｂａ及び内方溝部２２Ａａを順次通って引掛部４５に引掛けられ、第１７導線掛け柱部４４Ｑに掛けられ、第１８電極間溝４２ｒを通って第２０端子２４Ｔを支持する端子支持基部４２Ｔの側面に掛けられ、その他端が第２０端子２４Ｔに電気的に接続される。
【００５９】
ドライブ巻線Ｎｓ１´の一端は第１９端子２４Ｓに電気的に接続され、第１９端子２４Ｓを支持する端子支持基部４２Ｓの側面に掛けられ、第１７電極間溝４２ｑを通って第１６導線掛け柱部４４Ｐに掛けられ、引掛部４５に引掛けられ、内方溝部２２Ａａ、内方溝部２２Ｂａ、内方溝部２２Ｃａ、及び内方溝部２２Ｄａを順次通って、内方筒状部２１の第４セクション２１ｅ（図３（ａ））に巻回される。さらに、第４セクション２１ｅに巻回されているドライブ巻線Ｎｓ１´は、同様に内方溝部２２Ｄａ、内方溝部２２Ｃａ、内方溝部２２Ｂａ、及び内方溝部２２Ａａを順次通って引掛部４５に引掛けられ、第１７導線掛け柱部４４Ｑに掛けられ、第１８電極間溝４２ｒを通って第２０端子２４Ｔを支持する端子支持基部４２Ｔの側面に掛けられ、その他端が第２０端子２４Ｔに電気的に接続される。
【００６０】
第四の１次コイルＮｐ４は、後述のように外方筒状部３１に導線５０が巻回された後に絶縁テープ９３が巻回され、当該絶縁テープ９３上に巻回されている。具体的には、第第四の１次コイルＮｐ４の一端が第１５端子２４Ｏに電気的に接続され、１５端子２４Ｏを支持する端子支持基部４２Ｏの側面に掛けられ、第１３電極間溝４２ｍを通って絶縁テープ９３上に巻回される。絶縁テープ９３上に巻回されている第四の１次コイルＮｐ４は、第１４導線掛け柱部４４Ｎに掛けられ、第１５電極間溝４２ｏを通って第１７端子２４Ｑを支持する端子支持基部４２Ｑの側面に掛けられ、その他端が第１７端子２４Ｑに電気的に接続される。
【００６１】
上述のように、内方筒状部２１に巻回されたすべての１次コイルは各端子と内方筒状部２１との間に設けられた引掛部４５に引掛けられて各端子に電気的に接続されている。従って、１次コイルの内方筒状部２１と各端子の間でのコイル引出部の浮き上がりを防止することができる。さらに、各セクション内に巻回された１次コイルは当該セクションと引掛部４５との間に存在するすべての溝部を通過して引掛部４５に引掛けられるよう構成されているため、１次ワイヤが溝部から外れることを防止することができる。一の１次コイルを巻回させた後に他の１次コイルを引回す際も、一の１次コイルは引掛部４５によって内方筒状部２１と各端子の間での浮き上がりが規制されているため、他の１次コイルは一の１次コイルと干渉することなくコイルを引回すことが可能となり、機械での自動作業時における作業性が向上する。
【００６２】
図８、図１０に示されるように、第二の２次コイルＮｓ２は一端が第９端子２４Ｉに電気的に接続され、第９端子２４Ｉを支持する端子支持基部４２Ｉの側面に掛けられ、第８電極間溝４２ｈを通って第８導線掛け柱部４４Ｈに掛けられ、第１８導線掛け柱部４４Ｒに掛けられ、外方フランジ部３５の一端側フランジ第４切欠３５Ａｄと、外方筒状部３１の軸方向における一端側から数えて１枚目の外方仕切壁３２Ａの第２外側溝部３２Ａｂと、２枚目の外方仕切壁３２Ｂの第３外側溝部３２Ｂａ（図６）とを通り、外方筒状部３１の第３セクション３１ｄ（図５）に巻回されている。また、当該巻回された部分から他端側が引出され、外方筒状部３１の軸方向における一端側から数えて２枚目の外方仕切壁３２Ｂの第３外側溝部３２Ｂａと、１枚目の外方仕切壁３２Ａの第２外側溝部３２Ａｂと、外方フランジ部３６の一端側フランジ第４切欠３５Ａｄとを通り、第１８導線掛け柱部４４Ｒに掛けられ、第９導線掛け柱部４４Ｉに掛けられ、第９電極間溝４２ｉを通って第１０端子２４Ｊを支持する端子支持基部４２Ｊの側面に掛けられ、その他端が第１０端子２４Ｊに電気的に接続されている。
【００６３】
また、第三の２次コイルＮｓ３はその一端が第１１端子２４Ｋに電気的に接続され、第１１端子２４Ｋを支持する端子支持基部４２Ｋの側面に掛けられ、第１０電極間溝４２ｊを通って第１０導線掛け柱部４４Ｊに掛けられ、外方フランジ部３５の一端側フランジ第３切欠３５Ａｃと、方筒状部３１の軸方向における一端側から数えて１枚目の外方仕切壁３２Ａの第１外側溝部３２Ａａとを通り、外方筒状部３１の第２セクション３１ｃ（図５）に巻回されている。また、当該巻回された部分から他端側が引出され、外方筒状部３１の軸方向における一端側から数えて１枚目の外方仕切壁３２Ａの第１外側溝部３２Ａａと、外方フランジ部３５の一端側フランジ第３切欠３５Ａｃとを通り、第１１導線掛け柱部４４Ｋに掛けられ、第１１電極間溝４２ｋを通って第１２端子２４Ｌを支持する端子支持基部４２Ｌの側面に掛けられ、その他端が第１２端子２４Ｌに電気的に接続されている。
【００６４】
また、第四の２次コイルＮｓ４はその一端が第１３端子２４Ｍに電気的に接続され、第１３端子２４Ｍを支持する端子支持基部４２Ｍの側面に掛けられ、第１２電極間溝４２ｌを通って第１２導線掛け柱部４４Ｌに掛けられ、外方フランジ部３５の一端側フランジ第２切欠３５Ａｂを通り、外方筒状部３１の第１セクション３１ｂ（図５）に巻回されている。また、当該巻回された部分から他端側が引出され、外方フランジ部３５の一端側フランジ第２切欠３５Ａｂを通り、第１３電極間溝４２ｍを通って第１４端子２４Ｎを支持する端子支持基部４２Ｎの側面に掛けられ、その他端が第１４端子２４Ｎに電気的に接続されている。
【００６５】
また、第五の２次コイルＮｓ５はその一端が第１端子２４Ａに電気的に接続され、第１端子２４Ａを支持する端子支持基部４２Ａの側面に掛けられ、第１電極間溝４２ａを通って第１導線掛け柱部４４Ａに掛けられ、第５導線掛け柱部４４Ｅに掛けられ、外方フランジ部３６の他端側フランジ第１切欠３６Ａａと、外方筒状部３１の軸方向における一端側から数えて６枚目の外方仕切壁３２Ｆの第１１外側溝部３２Ｆａと、５枚目の外方仕切壁３２Ｅの第８外側溝部３２Ｅａと、４枚目の外方仕切壁３２Ｄの第６外側溝部３２Ｄａとを通り、外方筒状部３１の第４セクション３１ｅ（図５）に巻回されている。また、当該巻回された部分から他端側が引出され、外方筒状部３１の軸方向における一端側から数えて４枚目の外方仕切壁３２Ｄの第６外側溝部３２Ｄａと、５枚目の外方仕切壁３２Ｅの第８外側溝部３２Ｅａと、６枚目の外方仕切壁３２Ｆの第１１外側溝部３２Ｆａと、外方フランジ部３６の他端側フランジ第１切欠３６Ａａとを通り、第５導線掛け柱部４４Ｅに掛けられ、第３端子２４Ｃを支持する端子支持基部４２Ｃが設けられている基端部の部分の角部に掛けられ、第２電極間溝４２ｂを通って第２端子２４Ｂを支持する端子支持基部４２Ｂの側面に掛けられ、その他端が第２端子２４Ｂに電気的に接続されている。
【００６６】
また、第六の２次コイルＮｓ６はその一端が第７端子２４Ｇに電気的に接続され、第７端子２４Ｇを支持する端子支持基部４２Ｇの側面に掛けられ、第６電極間溝４２ｆを通って第６端子２４Ｆを支持する端子支持基部４２Ｆが設けられている基端部の部分の角部に掛けられ、第７導線掛け柱部４４Ｇに掛けられ、外方フランジ部３６の他端側フランジ第４切欠３６Ａｄと、外方筒状部３１の軸方向における一端側から数えて６枚目の仕切壁の第１３外側溝部３２Ｆｃと、５枚目の仕切壁の第８外側溝部３２Ｅａと、６枚目の外方仕切壁３２Ｆの第６外側溝部３２Ｄａとを通り、外方筒状部３１の第６セクション３１ｇ（図５）に巻回されている。また、当該巻回された部分から他端側が引出され、外方筒状部３１の軸方向における一端側から数えて６枚目の仕切壁の第６外側溝部３２Ｄａと、５枚目の外方仕切壁３２Ｅの第８外側溝部３２Ｅａと、６枚目の仕切壁の第１３外側溝部３２Ｆｃと、外方フランジ部３６の他端側フランジ第４切欠３６Ａｄとを通り、第７導線掛け柱部４４Ｇに掛けられ、第４導線掛け柱部４４Ｄに掛けられ、第７電極間溝４２ｇを通って第８端子２４Ｈを支持する端子支持基部４２Ｈの側面に掛けられ、その他端が第８端子２４Ｈに電気的に接続されている。
【００６７】
また、第七の２次コイルＮｓ７はその一端が第３端子２４Ｃに電気的に接続され、第３端子２４Ｃを支持する端子支持基部４２Ｃの側面に掛けられ、第３電極間溝４２ｃを通って第２導線掛け柱部４４Ｂに掛けられ、外方フランジ部３６の他端側フランジ第２切欠３６Ａｂと、外方筒状部３１の軸方向における一端側から数えて６枚目の外方仕切壁３２Ｆの第１２外側溝部３２Ｆｂと、５枚目の外方仕切壁３２Ｅの第９外側溝部３２Ｅｂとを通り、外方筒状部３１の第５セクション３１ｆ（図５）に巻回されている。また、当該巻回された部分から他端側が引出され、外方筒状部３１の軸方向における一端側から数えて５枚目の外方仕切壁３２Ｅの第９外側溝部３２Ｅｂと、６枚目の外方仕切壁３２Ｆの第１２外側溝部３２Ｆｂと、外方フランジ部３６の他端側フランジ第２切欠３６Ａｂとを通り、第４電極間溝４２ｄを通って第４端子２４Ｄを支持する端子支持基部４２Ｄの側面に掛けられ、その他端が第４端子２４Ｄに電気的に接続されている。
【００６８】
また、第八の２次コイルＮｓ８はその一端が第５端子２４Ｅに電気的に接続され、第５端子２４Ｅを支持する端子支持基部４２Ｅの側面に掛けられ、外方フランジ部３６の他端側フランジ第３切欠３６Ａｃを通り、外方筒状部３１の第７セクション３１ｈ（図５）に巻回されている。また、当該巻回された部分から他端側が引出され、外方フランジ部３６の他端側フランジ第３切欠３６Ａｃを通り、第３導線掛け柱部４４Ｃに掛けられ、第５電極間溝４２ｅを通って第６端子２４Ｆを支持する端子支持基部４２Ｆの側面に掛けられ、その他端が第６端子２４Ｆに電気的に接続されている。以上のように各２次コイルは、互いに別個独立した出力を有する構成となっている。
【００６９】
上述のようにボビン２０は内方筒状部２１と外方筒状部３１とを備えているため、内方筒状部２１に巻回された導線５０と外方筒状部３１に巻回された導線５０とを確実に絶縁することができる。また、二重のボビン構造とすることができ、磁気結合を高くすることができる。
【００７０】
以上のような構成のトランス１は、以下のような工程を経て製造される。先ず、図示せぬ巻線機のボビン支持部を内方筒状部２１の内周面により画成される空間２１ａ（図３（ｂ））に挿入して内方筒状部２１を保持する。この保持は、全ての導線５０を引回す間中引続き行われ、途中で図示せぬ巻線機のボビン支持部から内方筒状部２１が取り外されることはない。
【００７１】
次に第二の１次コイルＮｐ２をその一端を第１５端子２４Ｏに仮固定をし、他端を第１６端子２４Ｐに仮固定をする。ここで、第１５端子２４Ｏ〜第２０端子２４Ｔは、導線５０の一端及び他端の電気的接続のために、予め図１１に示されるように、内方筒状部２１の軸方向における延出端部を実装面側（図１１の上方）へ直角に折り曲げておく。
【００７２】
第二の１次コイルＮｐ２の一端、他端の第１５端子２４Ｏ、第１６端子２４Ｐへの仮固定は、以下のようにして行う。第１７端子２４Ｑ〜第２０端子２４Ｔへの導線５０の一端、他端への仮固定も、この第二の１次コイルＮｐ２の一端、他端の第１５端子２４Ｏ、第１６端子２４Ｐへの仮固定と同様にして行う。
【００７３】
先ず、先端部が折曲されている第１５端子２４Ｏへ第二の１次コイルＮｐ２の一端部を導く。そして、第二の１次コイルＮｐ２の一端部を第１５端子２４Ｏの先端部に絡げて仮固定する。そして、内方筒状部２１の第１セクション２１ｂに第二の１次コイルＮｐ２を巻回する。
【００７４】
同様に、内方筒状部２１の第１セクション２１ｂに巻回された第二の１次コイルＮｐ２の他端を先端部が折曲されている第１６端子２４Ｐへ導く。そして、第二の１次コイルＮｐ２の他端部を第１６端子２４Ｐの先端部に絡げて仮固定する。以上が仮固定を行う方法の詳細である。
【００７５】
次に、ドライブ巻線Ｎｓ１の一端を第１８端子２４Ｒに仮固定をし、内方筒状部２１の第２セクション２１ｃに巻回し、他端を第２０端子２４Ｔに仮固定をする。次に、第一の１次コイルＮｐ１の一端を第１５端子２４Ｏに仮固定をし、内方筒状部２１の第３セクション２１ｄに巻回し、他端を第１７端子２４Ｑに仮固定をする。次に、ドライブ巻線Ｎｓ１´の一端を第１９端子２４Ｓに仮固定をし、内方筒状部２１の第４セクション２１ｅに巻回し、他端を第２０端子２４Ｔに仮固定をする。次に、第三の１次コイルＮｐ３の一端を第１５端子２４Ｏに仮固定し、内方筒状部２１の第５セクション２１ｆに巻回し、他端を第１６端子２４Ｐに仮固定する。
【００７６】
次に、図１２に示されるように、基板側外方筒状分割部３１−２、反基板側外方筒状分割部３１−１を組合せて外方筒状部３１で内方筒状部２１を外装する。次に、図１３、図１４に示されるように、外方筒状部３１の各セクションに導線５０を巻回する。具体的には、先ず第四の２次コイルＮｓ４の一端を第１３端子２４Ｍに仮固定し、外方筒状部３１の第１セクション３１ｂに巻回し、他端を第１４端子２４Ｎに仮固定する。
【００７７】
ここで、前述の第二の１次コイルＮｐ２、ドライブ巻線Ｎｓ１、第一の１次コイルＮｐ１、ドライブ巻線Ｎｓ１´、第三の１次コイルＮｐ３の仮固定は、予め図１１に示されるように、内方筒状部２１の軸方向における延出端部を実装面側へ直角に折り曲げられた部分を利用して行ったが、第四の２次コイルＮｓ４、第三の２次コイルＮｓ３、第二の２次コイルＮｓ２、第八の２次コイルＮｓ８、第六の２次コイルＮｓ６、第七の２次コイルＮｓ７、第五の２次コイルＮｓ５の仮固定については、直角に折り曲げられた部分を利用せずに行う点のみが異なり、他の点については同様に行うため説明を省略する。
【００７８】
次に、第三の２次コイルＮｓ３の一端を第１１端子２４Ｋに仮固定し、外方筒状部３１の第２セクション３１ｃに巻回し、他端を第１２端子２４Ｌに仮固定する。次に、第二の２次コイルＮｓ２の一端を第９端子２４Ｉに仮固定し、外方筒状部３１の第３セクション３１ｄに巻回し、他端を第１０端子２４Ｊに仮固定する。
【００７９】
次に第八の２次コイルＮｓ８の一端を第５端子２４Ｅに仮固定し、外方筒状部３１の第７セクション３１ｈに巻回し、他端を第６端子２４Ｆに仮固定する。次に、第六の２次コイルＮｓ６の一端を第７端子２４Ｇに仮固定し、外方筒状部３１の第６セクション３１ｇに巻回し、他端を第８端子２４Ｈに仮固定する。次に、第七の２次コイルＮｓ７の一端を第３端子２４Ｃに仮固定し、外方筒状部３１の第５セクション３１ｆに巻回し、他端を第４端子２４Ｄに仮固定する。次に、第五の２次コイルＮｓ５の一端を第１端子２４Ａに仮固定し、外方筒状部３１の第４セクション３１ｅに巻回し、他端を第２端子２４Ｂに仮固定する。
【００８０】
次に、導線５０が巻回された外方筒状部３１の周囲に絶縁テープ９３を巻回し、図１５に示されるように、その上から更に、第四の１次コイルＮｓ４の一端を第１５端子２４Ｏに仮固定し、絶縁テープ９３上を巻回し、他端を第１７端子２４Ｑに仮固定する。次に更に、その上に絶縁テープ９４を巻回する。
【００８１】
次に、図１６に示すように第１５端子２４Ｏの折曲されている先端部に対する基端部側で、第１５端子２４Ｏの折曲されている先端部と第二の１次コイルＮｐ２の一端部とを束ねるようにして別途用意した細線により第１５端子２４Ｏの折曲されている先端部の長手方向に沿って複数ターン巻き上げ、第１５端子２４Ｏの折曲されている先端部に第二の１次コイルＮｐ２の一端部を固定する細線巻付部を形成する。そして、細線巻付部よりも第１５端子２４Ｏの延出端側において、第１５端子２４Ｏと第二の１次コイルＮｐ２の一端部とを、これらの軸方向に垂直をなす面で切断して、第１５端子２４Ｏに仕上げるとともに端面が形成された第二の１次コイルＮｐ２の一端とする。この切断により第１５端子２４Ｏの先端部の端面は第二の１次コイルＮｐ２の一端の端面と面一になる。これと同様の工程を第１６端子２４Ｐ〜第２０端子２４Ｔについて行う。
【００８２】
次に、第１端子２４Ａ、第２端子２４Ｂ、・・・、第２０端子２４Ｔをハンダ槽に沈めてハンダ付を行う。図１７に示すように、このハンダ付によりハンダが細線巻付部を覆うと共に端子電極２４と導線５０端部とに跨るハンダフィレットが形成される。このようにして形成されたハンダフィレットは、第１５端子２４Ｏ〜第２０端子２４Ｔにおいてはハンダが、導線５０端部の端面と端子電極２４の先端部の端面とに跨っている。このハンダフィレットによって、端子電極２４と導線５０とが継線される。
【００８３】
次に、略Ｌ字状をなしている端子電極２４をフォーミングにより略コの字形状とし、図１８に示されるように、コア１０を装着し、図１９、図２０に示されるように、実装面側ケース９１、反実装面側ケース９２をそれぞれ装着することによりトランス１が製造される。
【００８４】
次に本発明の第２の実施の形態によるトランス１０１について図２１乃至図２４に基づいて説明する。なお、第１の実施の形態と同様の部分は同一の符号を付し、説明を省略する。
【００８５】
第２の実施の形態に係るトランス１０１も第１の実施の形態のトランス１と同様図示せぬ一対のコア１０と、ボビン１２０と、導線１５０と、第１の実施の形態のトランス１と同様図示せぬケース９１、９２とを備えている。
【００８６】
図２１に示すボビン１２０は、筒状部１２１と筒状部１２１の軸方向両端に設けられた端子台１４０とを有する。筒状部１２１は第１の実施の形態と同様の長円形状の筒状をなしている。筒状部１２１のうち一対の平行をなす部分の一方は、図示せぬ実装基板の表面に平行であって、実装基板対向面１２１Ａ（図２１）をなし、当該一対の平行をなす部分の他方は反実装基板対向面１２１Ｂをなす。
【００８７】
筒状部１２１の周面には仕切壁１２２Ａ〜１２２Ｅが設けられている。図２１に示されるように、仕切壁１２２Ａ〜１２２Ｅは筒状部１２１の周面の周方向に沿って全周に渡り板状をなして５枚立設されており、仕切壁１２２Ａ〜１２２Ｅによって筒状部１２１は４つのセクションに仕切られている。各セクションを図の左側から右側へ向かって第１セクション１２１ｂ、第２セクション１２１ｃ、・・・、第４セクション１２１ｅとする。各セクションには後述の導線１５０が均等に巻回されている。内方筒状部１２１における各セクションは、巻回領域に相当する。
【００８８】
実装基板対向面１２１Ａ上に位置している側であって５枚の仕切壁のうちの、筒状部１２１の軸方向における一端側から数えて２〜５枚目までの仕切壁１２２Ｂ〜１２２Ｅの部分には、所定の深さを持つ溝部１２２Ｂａ〜１２２Ｅａが筒状部１２１の半径方向内方へ向けて筒状部１２１の軸方向に一直状に形成されている。溝部１２２Ｂａ〜１２２Ｅａは、筒状部１２１の周方向における仕切壁１２２Ｂ〜１２２Ｅの中央位置からさらに周方向に所定距離移動した位置から周方向へ所定の位置に至るまで形成されている。溝部１２２Ｂａ〜１２２Ｄａは溝部１２２Ｅａと比べて筒状部１２１の半径方向の深さが深く形成される。筒状部１２１の軸方向における一端側から数えて１〜５枚目までの仕切壁１２２Ａ〜１２２Ｄの部分には、仕切壁１２２Ａ〜１２２Ｄの高さと同一の深さを有する切欠１２２Ａｂ〜１２２Ｄｂが筒状部１２１の軸方向に一直線状に形成されている。切欠１２２Ａｂ〜１２２Ｄｂは、筒状部１２１の周方向における仕切壁１２２Ａ〜１２２Ｄの中央位置から周方向へ所定の位置に至るまで形成されている。切欠１２２Ａｂ〜１２２Ｄｂが形成されている仕切壁１２２Ａ〜１２２Ｄの直線の延長線上には溝部１２２Ｅｂが形成されている。溝部１２２Ｅｂは溝部１２２Ｅａと比べて筒状部１２１の半径方向の深さが深く形成される。筒状部１２１の軸方向における一端側から数えて１〜５枚目までの仕切壁１２２Ａ〜１２２Ｄの部分であって、切欠１２２Ａｂ〜１２２Ｄｂが形成された位置から周方向に所定距離移動した位置に切欠１２２Ａｃ〜１２２Ｄｃが形成されている。切欠１２２Ａｃ〜１２２Ｄｃは仕切壁１２２Ａ〜１２２Ｄの高さと同一の深さを有し筒状部１２１の軸方向に一直線上に形成されている。切欠１２２Ａｃ〜１２２Ｄｃが形成されている仕切壁１２２Ａ〜１２２Ｄの直線の延長線上筒状部１２１の半径方向内方に所定の深さを有する溝部１２２Ｅｃが形成されている。溝部１２２Ｅｃの筒状部１２１の半径方向の深さは溝部１２２Ｅａと同一に形成される。
【００８９】
端子台１４０は複数の端子支持部１４２を有し、端子台１４０の実装面側には端子電極１２４が設けられている。端子電極１２４は計１６個備えられ、筒状部１２１の軸方向両端に設けられた端子台１４０−１及び端子台１４０−２にはそれぞれ８個ずつ設けられている。端子電極１２４は第１の実施の形態と同様に略コ字状を成している。
【００９０】
筒状部１２１の軸方向における他端側の端子台１４０−２に設けられた端子支持部１４２の８個の端子電極１２４について、図２２に示されるように、第１端子１２４Ａ、第２端子１２４Ｂ、・・・第８端子１２４Ｈとする。また、筒状部１２１の軸方向における一端側の端子台１４０−１に設けられた端子支持部１４２の８個の端子電極１２４について、第９端子１２４Ｉ、第１０端子１２４Ｊ、・・・第１６端子１２４Ｐとする。第１端子１２４Ａ、第２端子１２４Ｂ、・・・、第１６端子１２４Ｐを支持する端子支持部１４２は、それぞれ実装面側へ突出する端子支持基部１４２Ａ、１４２Ｂ、・・・、１４２Ｐを有する。
【００９１】
他端の端子台１４０−２のそれぞれの端子支持部１４２の間には、図２２に示すように第１電極間溝１４２ａ、第２電極間溝１４２ｂ、・・・、第８電極間溝１４２ｈが形成されている。一端の端子台１４０−１のそれぞれの端子支持部１４２の間には第９電極間溝４２ｊ、第１０電極間溝４２ｋ、・・・、第１６電極間溝４２ｐが形成されている。
【００９２】
筒状部１２１の軸方向における他端側の端子台１４０−２の端子支持部１４２に設けられた導線掛け柱部ついて、図２２に示されるように、第１導線掛け柱部１４４Ａ、第２導線掛け柱部１４４Ｂ、第３導線掛け柱部１４４Ｃとする。筒状部１２１の軸方向における一端側の端子台１４０−１の端子支持部１４２に設けられた導線掛け柱部ついて、図２２に示されるように、第４導線掛け柱部１４４Ｄ、第５導線掛け柱部１４４Ｅ、第６導線掛け柱部１４４Ｆとする。
【００９３】
第１導線掛け柱部１４４Ａは、第２端子１２４Ｂを支持する端子支持基部１４２Ｂの近傍に配置される。第２導線掛け柱部１４４Ｂは、第１導線掛け柱部１４４Ａと対向する位置であって第２端子１２４Ｂを支持する端子支持基部１４２Ｂと第３端子１２４Ｃを支持する端子支持基部１４２Ｃとの間に配置される。第３導線掛け柱部１４４Ｃは、第７端子１２４Ｇを支持する端子支持基部１４２Ｇの近傍に配置される。第４導線掛け柱部１４４Ｄは、第１０端子１２４Ｊを支持する端子支持基部１４２Ｊの近傍に配置される。第５導線掛け柱部１４４Ｅは、第４導線掛け柱部１４４Ｄに略対向する位置であって第１０端子１２４Ｊを支持する端子支持基部１４２Ｊと第１１端子１２４Ｋを支持する端子支持基部１４２Ｋとの間に配置される。第６導線掛け柱部１４４Ｆは、第１５端子１２４Ｏを支持する端子支持基部１４２Ｏの近傍に配置される。
【００９４】
図２１に示されるように、端子台１４０−１上であって電極間溝１４２ｍの延長面上に引掛部１４５及び１４６の一端が支持されている。引掛部１４５及び１４６は当該延長面から筒状部１２１の半径方向外方に突出し、その先端部分が屈曲したＬ字形状をなしている。引掛部１４５は、直線上に配置された切欠１２２Ａｂ〜１２２Ｄｂ及び溝部１２２Ｅｂの略延長線上に設けられている。引掛部１４５は筒状部１２１の軸方向から見て内方溝部１２２Ａｂの開口部と引掛部１４５の一部が重なるように配置される。引掛部１４６は、電極間溝１４２ｍと同一面上であって直線上に配置された切欠１２２Ａｃ〜１２２Ｄｃ及び溝部１２２Ｅｃの略延長線上に設けられている。引掛部１４６は引掛部１４５と対称となるように配置される。引掛部１４６は筒状部１２１の軸方向から見て内方溝部１２２Ａｃの開口部と引掛部１４６の一部が重なるように配置される。引掛部１４５及び１４６の当該延長面から屈曲した部位までの距離は、筒状部１２１から立設している仕切壁１２２Ａ〜１２２Ｅの高さよりも低くなるように設定されている。
【００９５】
導線１５０は、それぞれ絶縁被覆された銅線からなり、第一の１次コイルＮｐ１と、第二の１次コイルＮｐ２と、ドライブ巻線Ｎｓ１と、第二の２次コイルＮｓ２と、第三の２次コイルＮｓ３と、第四の２次コイルＮｓ４と、第五の２次コイルＮｓ５と、第六の２次コイルＮｓ６とを有している。各１次コイルには、絶縁性の高い三層絶縁ワイヤを用いている。
【００９６】
第２の実施の形態においては、各コイルは、第１のセクション１２１Ａ〜第４のセクション１２１ｄのすべてのセクションに略均等となるように巻回される。さらに、筒状部１２１の各セクションに略均等に第一の１次コイルＮｐ１と、ドライブ巻線Ｎｓ１とが巻回された後に、第二の２次コイルＮｓ２と、第三の２次コイルＮｓ３と、第四の２次コイルＮｓ４と、第五の２次コイルＮｓ５と、第六の２次コイルＮｓ６とを１次コイルの上から直接巻回させる。そして最後に第二の１次コイルＮｐ２をその上から巻回させる。
【００９７】
具体的には、図２２及び２４に示されるように、第一の１次コイルＮｐ１の一端が第１３端子１２４Ｍに電気的に接続され、第１３電極間溝１４２ｍを通って第１３端子１２４Ｍを支持する端子支持基部１４２Ｍの側面に掛けられ、切欠１２２Ａｃを通過して切欠１２２Ｂｃ〜１２２Ｄｃを通過して第１セクション１２１ｂ〜第４セクション１２１ｅに均等に巻回される。すべてのセクションに均等に巻回された第一の１次コイルＮｐ１は、最後に巻回されたセクションから第１６端子１２４Ｐまでの間であって引掛部１４６と切欠１２２Ａｃの延長線上に存在するすべての切欠を通過した後に、切欠１２２Ａｃを通過して、第１５端子１２４Ｏを支持する端子支持基部１４２Ｏの側面に掛けられ、第１５電極間溝１４２ｏを通って、その他端が第１６端子１２４Ｐに電気的に接続される。
【００９８】
ドライブ巻線Ｎｓ１は一端が第１１端子１２４Ｋに電気的に接続され、第１１端子１２４Ｋを支持する端子支持基部１４２Ｋの側面に掛けられ、第１２電極間溝１４２ｌを通って第１２端子１２４Ｌを支持する端子支持基部１４２Ｌの側面に掛けられ、引掛部１４５に引掛けられ、切欠１２２Ａｂを通過して切欠１２２Ｂｂ〜１２２Ｄｂを通過して第１セクション１２１ｂ〜第４セクション１２１ｅに均等に巻回される。すべてのセクションに均等に巻回されたドライブ巻線Ｎｓ１は、最後に巻回されたセクションから第１２端子１２４Ｔまでの間であって引掛部１４５と切欠１２２Ａｂの延長線上に存在するすべての切欠を通過した後に、切欠１２２Ａｂを通過して引掛部１４５に引掛けられ、第１３電極間溝１４２ｍを通って第１２端子１２４Ｌを支持する端子支持基部１４２Ｌの側面に掛けられ、その他端が第１２端子１２４Ｌに電気的に接続される。
【００９９】
上述のように、筒状部１２１に巻回されたＮｐ２を除く全ての１次コイルは、各端子と筒状部１２１との間に設けられた引掛部１４５又は１４６に引掛けられて各端子に電気的に接続されている。従って、１次コイルの筒状部１２１と各端子の間でのコイルの浮き上がりを防止することができる。また、一の１次コイルを巻回させた後に他の１次コイルであるＮｐ２を引回す際も、一の１次コイルは引掛部１４５又は１４６によって筒状部１２１と各端子の間での浮き上がりが規制されているため、他の１次コイルは一の１次コイルと干渉することなくコイルを引回すことが可能となり、機械での自動作業時における作業性が向上する。
【０１００】
図２３及び２４に示されるように、第二の２次コイルＮｓ２は一端が第１端子１２４Ａに電気的に接続され、第１端子１２４Ａを支持する端子支持基部１４２Ａの側面に掛けられ、第１電極間溝１４２ａを通って第２端子１２４Ｂを支持する端子支持基部１４２Ｂの側面に掛けられ、第１導線掛け柱部１４４Ａに掛けられ、溝部１２２Ｅｃ及び切欠１２２Ａｃ〜１２２Ｄｃを通過して、第１セクション１２１ｂ〜第４セクション１２１ｅに均等に巻回される。そして、すべてのセクションに均等に巻回された第二の２次コイルＮｓ２の他端は溝部１２２Ｅｃを通過して、第２導線掛け柱部１４４Ｂの側面に掛けられ、第２電極間溝１４２ｂを通ってその他端が第２端子１２４Ｂに電気的に接続されている。
【０１０１】
第三の２次コイルＮｓ３は一端が第３端子１２４Ｃに電気的に接続され、第３端子１２４Ｃを支持する端子支持基部１４２Ｃの側面に掛けられ、第４電極間溝１４２ｄを通って第４端子１２４Ｄを支持する端子支持基部１４２Ｄの側面に掛けられ、溝部１２２Ｅｂ及び切欠１２２Ａｂ〜１２２Ｄｂを通過して第１セクション１２１ｂ〜第４セクション１２１ｅに均等に巻回される。そして、すべてのセクションに均等に巻回された第三の２次コイルＮｓ３の他端は溝部１２２Ｅｂを通過して、第５電極間溝１４２ｅを通って、その他端が第４端子１２４Ｄに電気的に接続されている。
【０１０２】
第四の２次コイルＮｓ４は一端が第５端子１２４Ｅに電気的に接続され、第５電極間溝１４２ｅを通って、溝部１２２Ｅｂ及び切欠１２２Ａｂ〜１２２Ｄｂを通過して第１セクション１２１ｂ〜第４セクション１２１ｅに均等に巻回される。そして、すべてのセクションに均等に巻回された第四の２次コイルＮｓ４の他端は、第５端子１２４Ｅを支持する端子支持基部１４２Ｅの側面に掛けられ、第６電極間溝１４２ｆを通って第６端子１２４Ｆを支持する端子支持基部１４２Ｆの側面に掛けられ、その他端が第６端子１２４Ｆに電気的に接続されている。
【０１０３】
第五の２次コイルＮｓ５は一端が第７端子１２４Ｇに電気的に接続され、第７電極間溝１４２ｇを通って、溝部１２２Ｅａ及び溝部１２２Ｂａ〜１２２Ｄａを通過して第１セクション１２１ｂ〜第４セクション１２１ｅに均等に巻回される。そして、すべてのセクションに均等に巻回された第五の２次コイルＮ５の他端は、第３導線掛け柱部１４４Ｃに掛けられ、第７端子１２４Ｇを支持する端子支持基部１４２Ｇの側面に掛けられ、第８電極間溝１４２ｈを通って第８端子１２４Ｈを支持する端子支持基部１４２Ｈの側面に掛けられ、その他端が第８端子１２４Ｈに電気的に接続されている。
【０１０４】
第六の２次コイルＮｓ６は一端が第９端子１２４Ｉに電気的に接続され、第９端子１２４Ｉを支持する端子支持基部１４２Ｉの側面に掛けられ、第９電極間溝１４２ｉを通って第１０端子１２４Ｊを支持する端子支持基部１４２Ｊの側面に掛けられ、引掛部１４５に引掛けられ、切欠１２２Ａｂ〜１２２Ｄｂを通過して第１セクション１２１ｂ〜第４セクション１２１ｅに均等に巻回される。そして、すべてのセクションに均等に巻回された第六の２次コイルＮ６の他端は、引掛部１４５に引掛けられ、第５導線掛け柱部１４４Ｅに掛けられ、第１０電極間溝１４２ｊを通ってその他端が第１０端子１２４Ｊに電気的に接続されている。
【０１０５】
第二の１次コイルＮｐ２は一端が第１４端子１２４Ｎに電気的に接続され、第１４電極間溝１４２ｎを通って第１３端子１２４Ｍを支持する端子支持基部１４２Ｍの側面に掛けられ、引掛部１４６に引掛けられ、切欠１２２Ａｃを通過して切欠１２２Ｂｃ〜１２２Ｄｃを通過して第１セクション１２１ｂ〜第４セクション１２１ｅに均等に巻回される。すべてのセクションに均等に巻回された第二の１次コイルＮｐ２は、最後に巻回されたセクションから第１５端子１２４Ｏまでの間であって引掛部１４６と切欠１２２Ａｃの延長線上に存在するすべての切欠を通過した後に、切欠１２２Ａｃを通過して引掛部１４６に引掛けられ、第１４端子１２４Ｎを支持する端子支持基部１４２Ｎの側面に掛けられ、第１５電極間溝１４２ｏを通って、その他端が第１５端子１２４Ｏに電気的に接続される。なお、第二の１次コイルＮｐ２は最後に巻回されるため、引掛部１４５及び１４６を通過することなく端子に接続される。
【０１０６】
上述のように、筒状部１２１に巻回されたＮｐ２を除くすべての１次コイルは各端子と筒状部１２１との間に設けられた引掛部１４５又は１４６に引掛けられて各端子に電気的に接続されている。従って、２次コイルを引回す際も、Ｎｐ２を除くすべての１次コイルは引掛部１４５又は１４６によって筒状部１２１と各端子の間での浮き上がりが規制されているため、２次コイルはＮｐ２を除くすべての１次コイルと干渉することなくコイルを引回すことが可能となり、機械での自動作業時における作業性が向上する。
【０１０７】
本発明のコイル部品は、上述した実施の形態に限定されず、特許請求の範囲に記載した範囲で種々の変形や改良が可能である。例えば、図２５に示されるように、内方筒状部２２１の軸方向における両端のセクション２２１ｂ、２２１ｆの底面を規定する内方筒状部２２１の周面を、他のセクションを画成する内方筒状部２２１の周面よりも半径方向外方の位置として一段高くして、内方筒状部１２１の半径方向において、外方筒状部２３１のセクション２３１ｂ〜２３１ｇの底面を規定する外方筒状部２３１の周面と内方筒状部２２１の両端のセクション２２１ｂ及び２２１ｆの底面とが面一となる高さとしてもよい。それにより、外方筒状部２３１は、セクション２２１ｂと絶縁テープ２９３とセクション２２１ｆとによって画成された空間に収納される。
【０１０８】
このようにすることで、外方筒状部２３１の軸方向において外方フランジ部２３５、２３６を介して、外方筒状部２３１のセクション２３１ｂ、２３１ｇに巻回された２次コイルと、内方筒状部２２１のセクション２２１ｂ、２２１ｆに巻回された１次コイルとを隣接して配置させることができる。即ち、トランスを外方筒状部２３１の軸心を含む断面で見たときに、外方筒状部２３１のセクション２３１ｂ〜２３１ｇに巻回された２次コイルを、内方筒状部２２１のセクション２２１ｂに巻回された１次コイルと絶縁テープ２９３の下に巻回されているセクション２２１ｃ〜２２１ｅに巻回されている１次コイルとセクション２２１ｆに巻回されている１次コイルとで取り囲むような配置とすることができ、１次コイルと２次コイルとの磁気結合をより高めることができる。
【０１０９】
また、導線５０と端子電極２４との電気的な接続ははんだ付けにより行ったが、これに限定されず、例えば、レーザー溶接等により行ってもよい。
【産業上の利用可能性】
【０１１０】
本発明のトランスは、特に１次コイルと、互いに別個独立した出力を有する複数の２次コイルとが同軸的に巻回されるトランスの分野において特に有用である。
【符号の説明】
【０１１１】
１，１０１          トランス
１０                コア
２０，１２０        ボビン
２１，１２１        内側筒状部
２２Ａ〜Ｆ          内方仕切壁
１２２Ａ〜Ｆ        仕切壁
２１ａ              空間
２１ｂ、３１ｂ、１２１ｂ      第１セクション
２１ｃ、３１ｃ、１２１ｃ      第２セクション
２１ｄ、３１ｄ、１２１ｄ      第３セクション
２１ｅ、３１ｅ、１２１ｅ      第４セクション
３１ｆ              第５セクション
３１ｇ              第６セクション
３１ｈ              第７セクション
２４、１２４        端子電極
２２Ａａ、２２Ｂａ、２２Ｃａ、２２Ｄａ、２２Ｅａ      内方溝部
１２２Ｂａ、１２２Ｃａ、１２２Ｄａ、１２２Ｅａ、１２２Ｅｂ、１２２Ｅｃ  溝部
１２２Ａｂ、１２２Ｂｂ、１２２Ｃｂ、１２２Ｄｂ、１２２Ａｃ、１２２Ｂｃ、１２２Ｃｃ、１２２Ｄｃ  切欠
４０，１４０        端子台
４２ａ〜４２ｒ、１４２ａ〜１４２ｐ      電極間溝
４５、１４５、１４６  引掛部
５０，１５０        導線
【図１】
2011044672.tif 000003
【図２】
2011044672.tif 000004
【図３（ａ）】
2011044672.tif 000005
【図３（ｂ）】
2011044672.tif 000006
【図４】
2011044672.tif 000007
【図５】
2011044672.tif 000008
【図６】
2011044672.tif 000009
【図７】
2011044672.tif 000010
【図８】
2011044672.tif 000011
【図９】
2011044672.tif 000012
【図１０】
2011044672.tif 000013
【図１１】
2011044672.tif 000014
【図１２】
2011044672.tif 000015
【図１３】
2011044672.tif 000016
【図１４】
2011044672.tif 000017
【図１５】
2011044672.tif 000018
【図１６】
2011044672.tif 000019
【図１７】
2011044672.tif 000020
【図１８】
2011044672.tif 000021
【図１９】
2011044672.tif 000022
【図２０】
2011044672.tif 000023
【図２１】
2011044672.tif 000024
【図２２】
2011044672.tif 000025
【図２３】
2011044672.tif 000026
【図２４】
2011044672.tif 000027
【図２５】
2011044672.tif 000028